(57)【要約】【課題】  多段乾燥機と循環回路内を過熱蒸気に早期に確実に置換させることができ、相当量発生するドレン水を回収して蒸気の循環回路に噴霧、環流して再利用でき、更に特定期間に多段乾燥機及び経路内の清掃を効率的に行って耐久性を向上させ、設備を焼却炉ではなく燃焼装置の分類とすることができる過熱蒸気循環型乾燥システムを提供する。【解決手段】  多段乾燥機１と循環回路内に蒸気を送り込む補助ボイラ５と、相当量発生するドレン水を受け入れる排水回収タンク２と、回収したドレン水を外部に放出せず、循環回路に噴霧、環流すると共に、ある時に排水回収タンク２内に浄水を満たし、同様に噴霧、環流する噴霧器１ａと蒸気循環ファン４と、熱ガス発生装置８の前段で余剰蒸気に含まれている臭気分やダスト類を完全に除去する脱臭装置６とを設けた過熱蒸気循環型乾燥システムである。【選択図】        図１
2006308162.tif 000002
【特許請求の範囲】
【請求項１】
廃棄物の原料を循環する過熱蒸気によって乾燥させる過熱蒸気循環型乾燥システムであって、
原料を乾燥させる多段乾燥機と、
多段乾燥機に過熱蒸気を循環させる循環回路と、
循環回路内で蒸気を循環させる蒸気循環ファンと、
循環回路の途中で、蒸気循環ファンからの蒸気を加熱し、過熱蒸気を再生する過熱蒸気再生用熱交換器と、
過熱蒸気再生用熱交換器に熱ガスを供給する熱ガス発生装置と、
循環回路における余剰蒸気を脱臭して熱ガス発生装置内に供給する脱臭装置と、
循環回路の途中に蒸気を送り込む補助ボイラと
を備えることを特徴とする過熱蒸気循環型乾燥システム。
【請求項２】
補助ボイラから発生した蒸気を循環回路の途中に供給し、若しくは、供給を停止する第１のバルブを設けたことを特徴とする請求項１記載の過熱蒸気循環型乾燥システム。
【請求項３】
多段乾燥機内又は／及び循環回路内に発生するドレン水を回収する排水回収タンクと、
排水回収タンク内のドレン水を第２のバルブ開によって多段乾燥機内で噴霧する噴霧器と
を備えることを特徴とする請求項１又は２記載の過熱蒸気循環型乾燥システム。
【請求項４】
多段乾燥機内に噴霧されるドレン水は、熱ガス発生装置の排熱によって加熱器で加熱されたものであることを特徴とする請求項３記載の過熱蒸気循環型乾燥システム。
【請求項５】
多段乾燥機内又は／及び循環回路内に発生するドレン水を排水回収タンクに流し込む第３のバルブと、
多段乾燥機内の温度が特定温度になるまでは、多段乾燥機内又は／及び循環回路内に発生するドレン水を排水回収タンクに回収するよう該第３のバルブを開にする制御部と
を設けたことを特徴とする請求項３又は４記載の過熱蒸気循環型乾燥システム。
【請求項６】
原料投入前に、多段乾燥機内の温度が特定温度になると、第３のバルブを閉にし、以降は多段乾燥機の出口側蒸気温度が設定値を超えた場合に限り、排水回収タンク内のドレン水を、加熱器を通さずに噴霧器を用いて多段乾燥機内に噴霧する制御を行うことを特徴とする請求項５記載の過熱蒸気循環型乾燥システム。
【請求項７】
脱臭装置に導入する余剰蒸気量を制御する調節バルブと、
循環回路内の過熱蒸気の流量を予め規定する流量制御部とを設け、
流量制御部と連動した調節バルブにより脱臭装置を介して熱ガス発生装置に供給する余剰蒸気量の制御を行うことを特徴とする請求項１乃至７のいずれか記載の過熱蒸気循環型乾燥システム。
【請求項８】
原料投入停止後に、第１のバルブを開にして、補助ボイラからの蒸気を循環回路に供給し、合わせて第２のバルブを開にして、排水回収タンクの水を、加熱器を通した後、噴霧器を用いて多段乾燥機内に噴霧できるようならしめたことを特徴とする請求項４記載の過熱蒸気循環型乾燥システム。
【発明の詳細な説明】
【技術分野】
【０００１】
本発明は、家畜糞尿・汚泥等の高含水の廃棄物を乾燥させる乾燥システムに係り、特に、過熱蒸気を循環させて廃棄物を滅菌・減量化して良質の乾燥成品を生産する過熱蒸気循環型乾燥システムに関する。
【背景技術】
【０００２】
汚泥から蒸発した水蒸気を再加熱して循環し、汚泥に接触させて加熱乾燥させる蒸気循環乾燥・焼却システムは、雑誌「いんだすと」VOL9 NO6 1994 p20-p24、寺井昭教投稿「新しい汚泥焼却技術」に記載されている（非特許文献１）。
【０００３】
上記文献記載の汚泥焼却技術では、乾燥機の出口に設けられた送風機は、温度の下がった循環蒸気を吸い込んで加熱器に送り込み、加熱して高温蒸気とし、乾燥機に送り返すものであり、そして、汚泥は高温蒸気の充満した乾燥機内で蒸気に接触して熱を奪い、自らの水分を蒸発して乾燥するものである。
従って、送風機によって乾燥機内は結果的に弱負圧状態になるものである。
【０００４】
更に、上記の技術において、汚泥から蒸発した水分に相当する蒸気量は余剰となり、乾燥系から出て炉の二次燃焼室に入り、高温の燃焼ガスは、二次燃焼室に入ってきた余剰蒸気と混合して加熱し脱臭するようになっている。
【０００５】
尚、蒸気循環型乾燥システムに関する先行技術としては、当社の権利に係る特許第３５０２３３９号公報「廃棄物処理装置」（特許文献１）、また、他社の権利に係る特許第２９８４６１２号公報「ガス接触式乾燥装置」（特許文献２）がある。
【０００６】
【特許文献１】特許第３５０２３３９号公報
【特許文献２】特許第２９８４６１２号公報
【非特許文献１】雑誌「いんだすと」VOL9 NO6 1994 p20-p24、寺井昭教投稿「新しい汚泥焼却技術」
【発明の開示】
【発明が解決しようとする課題】
【０００７】
しかしながら、上記従来の設備は、下水処理場で使われているように、大掛かりで、数ヶ月連続で運転するというものであるが、より小型にし、連続運転の期間としては１週間ぐらいの設備を想定した場合、既存の設備をそのまま小型化して用いようとすると以下の点が危惧された。
【０００８】
第１に、連続運転の期間が短いために、設備の立ち上げを短時間で確実に行うことが必要になり、そのために、多段乾燥機と循環回路内を過熱蒸気に早期に確実に置換する何らかの仕組みが必要である。
【０００９】
第２に、多段乾燥機と循環回路内を過熱蒸気に確実に置換できたとしても、その過程で、特に多段乾燥機においては機内を蓄熱するために内側に大容量の耐火材を貼っており、過熱蒸気の凝縮伝熱によってその耐火材の温度が上がる過程、特に多段乾燥機内の温度が１００℃になるまでは、相当量のドレン水が発生する。そのドレン水の受け入れ先を確保する必要があった。
【００１０】
第３に、相当量発生したドレン水を単に排出してしまうのではなく、効率的な利用が望まれるところである。
また、上記従来の技術では、乾燥機及び経路内の汚れに対して特別な対応が為されておらず、運転を止めて定期的に清掃するようになっていたが、もっと効率的な清掃方法で耐久性を向上させることが望まれていた。
【００１１】
第４に、上記従来の既存の設備は、乾燥汚泥を木材チップと共に熱源炉で焼却し、続く二次燃焼室で、汚泥から蒸発した水分に相当する、臭気等不純物を含んだ余剰な蒸気を混合・加熱して燃焼脱臭する仕組みになっており、設備としては焼却炉ということになっていた。
そのため、既存の設備は、行政上の多くの規制を受けるものとなっていた。
【００１２】
本発明は上記実情に鑑みて為されたもので、運転準備を短時間にするために、多段乾燥機と循環回路内を過熱蒸気に確実に置換する貫流ボイラ（補助ボイラ）を設け、相当量発生するドレン水を受け入れる排水回収タンクを設け、回収したドレン水を外部に放出せず、蒸気の循環回路に噴霧、環流することで効果的に消費し、更に運転停止時は排水回収タンク内に浄水を満たし、同様に噴霧、環流させることで、多段乾燥機及び経路内の清掃を効率的に行って耐久性を向上させ、熱ガス発生装置に供給される前段で余剰蒸気に含まれている臭気分やダスト類を完全に除去する脱臭装置を設けて設備を焼却炉ではなく燃焼装置の分類とすることを可能ならしめた過熱蒸気循環型乾燥システムを提供することを目的とする。
【課題を解決するための手段】
【００１３】
上記従来例の問題点を解決するための本発明は、廃棄物の原料を循環する過熱蒸気によって乾燥させる過熱蒸気循環型乾燥システムであって、原料を乾燥させる多段乾燥機と、多段乾燥機に過熱蒸気を循環させる循環回路と、循環回路内で蒸気を循環させる蒸気循環ファンと、循環回路の途中で、蒸気循環ファンからの蒸気を加熱し、過熱蒸気を再生する過熱蒸気再生用熱交換器と、過熱蒸気再生用熱交換器に熱ガスを供給する熱ガス発生装置と、循環回路における余剰蒸気を脱臭して熱ガス発生装置内に供給する脱臭装置と、循環回路の途中に蒸気を送り込む補助ボイラとを備えることを特徴とする。
【００１４】
本発明は、上記過熱蒸気循環型乾燥システムにおいて、補助ボイラから発生した蒸気を循環回路の途中に供給し、若しくは、供給を停止する第１のバルブを設けたことを特徴とする。
【００１５】
本発明は、上記過熱蒸気循環型乾燥システムにおいて、多段乾燥機内又は／及び循環回路内に発生するドレン水を回収する排水回収タンクと、排水回収タンク内のドレン水を第２のバルブ開によって多段乾燥機内で噴霧する噴霧器とを備えることを特徴とする。
【００１６】
本発明は、上記過熱蒸気循環型乾燥システムにおいて、多段乾燥機内に噴霧されるドレン水は、熱ガス発生装置の排熱によって加熱器で加熱されたものであることを特徴とする。
【００１７】
本発明は、上記過熱蒸気循環型乾燥システムにおいて、多段乾燥機内又は／及び循環回路内に発生するドレン水を排水回収タンクに流し込む第３のバルブと、多段乾燥機内の温度が特定温度になるまでは、多段乾燥機内又は／及び循環回路内に発生するドレン水を排水回収タンクに回収するよう該第３のバルブを開にする制御部とを設けたことを特徴とする。
【００１８】
本発明は、上記過熱蒸気循環型乾燥システムにおいて、原料投入前に、多段乾燥機内の温度が特定温度になると、第３のバルブを閉にし、以降は多段乾燥機の出口側蒸気温度が設定値を超えた場合に限り、排水回収タンク内のドレン水を、加熱器を通さずに噴霧器を用いて多段乾燥機内に噴霧する制御を行うことを特徴とする。
【００１９】
本発明は、上記過熱蒸気循環型乾燥システムにおいて、脱臭装置に導入する余剰蒸気量を制御する調節バルブと、循環回路内の過熱蒸気の流量を予め規定する流量制御部とを設け、流量制御部と連動した調節バルブにより脱臭装置を介して熱ガス発生装置に供給する余剰蒸気量の制御を行うことを特徴とする。
【００２０】
本発明は、上記過熱蒸気循環型乾燥システムにおいて、原料投入停止後に、第１のバルブを開にして、補助ボイラからの蒸気を循環回路に供給し、合わせて第２のバルブを開にして、排水回収タンクの水を、加熱器を通した後、噴霧器を用いて多段乾燥機内に噴霧できるようならしめたことを特徴とする。
【発明の効果】
【００２１】
本発明によれば、原料を乾燥させる多段乾燥機と、多段乾燥機に過熱蒸気を循環させる循環回路と、循環回路内で蒸気を循環させる蒸気循環ファンと、循環回路の途中で、蒸気循環ファンからの蒸気を加熱し、過熱蒸気を再生する過熱蒸気再生用熱交換器と、過熱蒸気再生用熱交換器に熱ガスを供給する熱ガス発生装置と、循環回路における余剰蒸気を脱臭して熱ガス発生装置内に供給する脱臭装置と、循環回路の途中に蒸気を送り込む補助ボイラとを備える過熱蒸気循環型乾燥システムとしているので、多段乾燥機と循環回路内を過熱蒸気に短時間で確実に置換することで、運転準備を短時間にすることができ、更に、脱臭装置により余剰蒸気の臭気分及びダスト類を除去するので、設備を焼却炉ではなく燃焼装置の分類とすることができる効果がある。
【００２２】
本発明によれば、補助ボイラから発生した蒸気を循環回路の途中に供給し、若しくは、供給を停止する第１のバルブを設けた上記過熱蒸気循環型乾燥システムとしているので、補助ボイラからの蒸気を循環回路内へに供給することを調整できる効果がある。
【００２３】
本発明によれば、多段乾燥機内又は／及び循環回路内に発生するドレン水を回収する排水回収タンクと、排水回収タンク内のドレン水を第２のバルブ開によって多段乾燥機内で噴霧する噴霧器とを備える上記過熱蒸気循環型乾燥システムとしているので、ドレン水を回収できると共に、そのドレン水を別の機会で消費できる効果がある。
【００２４】
本発明によれば、多段乾燥機内に噴霧されるドレン水は、熱ガス発生装置の排熱によって加熱器で加熱されたものである上記過熱蒸気循環型乾燥システムとしているので、蒸気生成に寄与でき、運転準備を短時間にすることができる効果がある。
【００２５】
本発明によれば、多段乾燥機内又は／及び循環回路内に発生するドレン水を排水回収タンクに流し込む第３のバルブと、多段乾燥機内の温度が特定温度になるまでは、多段乾燥機内又は／及び循環回路内に発生するドレン水を排水回収タンクに回収するよう該第３のバルブを開にする制御部とを設けた上記過熱蒸気循環型乾燥システムとしているので、多段乾燥機内及び循環回路が特定温度になるまでは、発生するドレン水を回収できる効果がある。
【００２６】
本発明によれば、制御部が、原料投入前に、多段乾燥機内の温度が特定温度になると、第３のバルブを閉にし、以降は多段乾燥機の出口側蒸気温度が設定値を超えた場合に限り、排水回収タンク内のドレン水を、加熱器を通さずに噴霧器を用いて多段乾燥機内に噴霧する制御を行う上記過熱蒸気循環型乾燥システムとしているので、特定温度になり、多段乾燥機の出口側蒸気温度が設定値を超えると加熱器を通さないドレン水を噴霧でき、多段乾燥機内及び循環回路内を適正温度に調整できる効果がある。
【００２７】
本発明によれば、脱臭装置に導入する余剰蒸気量を制御する調節バルブと、循環回路内の過熱蒸気の流量を予め規定する流量制御部とを設け、流量制御部と連動した調節バルブにより脱臭装置を介して熱ガス発生装置に供給する余剰蒸気量の制御を行う上記過熱蒸気循環型乾燥システムとしているので、循環回路内の流量によって余剰蒸気を熱ガスに変換できる効果がある。
【００２８】
本発明によれば、原料投入停止後に、第１のバルブを開にして、補助ボイラからの蒸気を循環回路に供給し、合わせて第２のバルブを開にして、排水回収タンクの水を、加熱器を通した後、噴霧器を用いて多段乾燥機内に噴霧できるようならしめた上記過熱蒸気循環型乾燥システムとしているので、多段乾燥機及び循環回路内を効率的に清掃できる効果がある。
【発明を実施するための最良の形態】
【００２９】
本発明の実施の形態について図面を参照しながら説明する。
［本発明の実施の形態の概要］
本発明の実施の形態に係る過熱蒸気循環型乾燥システムは、多段乾燥機と循環回路内を過熱蒸気に早期に確実に置換する貫流ボイラ（補助ボイラ）と、相当量発生するドレン水を受け入れる排水回収タンクと、回収したドレン水を外部に放出せず、蒸気の循環回路に噴霧、環流すると共に、運転停止時に排水回収タンク内に浄水を満たし、同様に噴霧、環流する噴霧器及び蒸気循環ファンと、熱ガス発生装置に供給される前段で余剰蒸気に含まれている臭気分やダスト類を完全に除去する脱臭装置とを設けたものである。
これにより、多段乾燥機と循環回路内を過熱蒸気に早期に確実に置換させることができ、相当量発生するドレンを回収して蒸気の循環回路に噴霧、環流して再利用でき、更に運転停止時に多段乾燥機及び経路内の清掃を効率的に行って耐久性を向上させ、設備を焼却炉ではなく燃焼装置の分類とすることができるものである。
【００３０】
［過熱蒸気乾燥］
本発明の実施の形態に係る過熱蒸気循環型乾燥システムでは、過熱蒸気を用いて被乾燥物を乾燥させるものである。
過熱蒸気とは、飽和蒸気（飽和圧力・温度で蒸発又は沸騰によって発生した蒸気）に熱を加えた蒸気で大気圧では１００℃より高い温度の蒸気である。
過熱蒸気は、熱風空気又は飽和蒸気より熱量を持っており、乾燥能力に優れ、更に過熱蒸気は再循環が可能で、熱効率が高く、省エネルギーとなる。これは、被乾燥物から発生した蒸気のみを余剰蒸気として熱ガス発生装置で燃焼させればよいことになる。
また、過熱蒸気で乾燥させることは、低酸素雰囲気で乾燥させることになるので、火災の恐れが殆どないものである。
【００３１】
［システムの概要］ 
本発明の実施の形態に係る過熱蒸気循環型乾燥システムについて図１を参照しながら説明する。図１は、本発明の実施の形態に係る過熱蒸気循環型乾燥システムの概略構成図である。
本発明の実施の形態に係る過熱蒸気循環型乾燥システム（本システム）は、図１に示すように、多段乾燥機１と、排水回収タンク２と、集じん器３と、蒸気循環ファン４と、補助ボイラ５と、脱臭装置６と、燃料化装置７と、熱ガス発生装置８と、過熱蒸気再生用熱交換器９と、冷却塔１０と、排ガス浄化装置１１と、排気ファン１２と、排気筒１３と、第５のバルブ１４と、第１のバルブ１８と、第２のバルブ２０と、第４のバルブ２１とを基本的に有している。
図１に示すバルブ以外にも多くのバルブを本システムは備えており、更に必要なバルブについては図３において説明する。
【００３２】
［各部］
以下、本システムの各部について具体的に説明する。
［多段乾燥機］
多段乾燥機１は、上部に汚泥等の被乾燥物の供給部が設けられ、内部室内には複数段の乾燥床面が設けられ、当該乾燥床面には被乾燥物を移送する複数のレーキが設けられている。
つまり、供給部から搬入された被乾燥物は、レーキに沿って回転され、送出されて移送され、乾燥床面の他端側の搬出端から下方に落下され、最下段の排出口部から乾燥された原料が排出されるようになっている。
【００３３】
更に、多段乾燥機１の内側に、機内を蓄熱するために大容量の耐火材を貼っている。その耐火材は、過熱蒸気の凝縮伝熱によって温度が上がる過程で、特に多段乾燥機内の温度が１００℃になるまでは、相当量のドレン水が発生するものである。
【００３４】
また、多段乾燥機１には、内部に複数の噴霧機１ａを備えている。
噴霧器１ａは、排水回数タンク２内の水を特定の制御によって多段乾燥機１内に噴霧するものである。特定の制御については後述する。
【００３５】
また、多段乾燥機１には、室内に過熱蒸気を導入する導入部が形成され、室内から過熱蒸気を導出する導出部が形成されている。
上記導入部から導入された過熱蒸気は、乾燥床面の搬入側から搬出側に流動して上記導出部から外部に流出されるもので、被乾燥物の移送方向に沿って蒸発蒸気の循環流路が形成されるものである。
【００３６】
［排水回収タンク］
排水回収タンク２は、多段乾燥機１内及び経路内が１００℃に上昇するまでに発生する相当量のドレン水を回収するためのタンクであり、更に多段乾燥機１内及び経路内が１００℃を越えて高温の過熱蒸気雰囲気になるまでの過程で、多段乾燥機１内に噴霧機１ａでタンク内のドレン水を噴霧して消費するものである。
尚、図１では、排水回収タンク２のドレン水は、過熱蒸気再生用交換器９と冷却塔１０の間に設けられた加熱器で加熱した上で、多段乾燥機１内に噴霧器１ａで噴霧するようになっており、多段乾燥機１内で、蒸気生成を促進できる。
尚、加熱器では、ドレン水を流すパイプが設けられ、排熱で当該パイプを加熱することで、間接的にドレン水を加熱するようになっている。
【００３７】
また、排水回収タンク２は、常に一定量の水位を保つよう制御されており、連続運転時には浄水が貯水されている。
更に、原料の供給を停止した後のアイドル運転時に排水回収タンク２内の浄水を加熱器で加熱した後に、多段乾燥機１内に噴霧機１ａで噴霧して多段乾燥機１及び経路内の清掃を行うものである。
ドレン水の噴霧制御については後述する。
【００３８】
［集じん器］
集じん器３は、閉鎖循環路中に飛散したダスト類を密閉状態で集塵する装置である。
具体的には、集じん器３は、多段乾燥機１の導出部から導出された循環蒸気を導入する導入部を備え、蒸気循環ファン４に導出する導出部を備えている。
【００３９】
［蒸気循環ファン］
蒸気循環ファン４は、管内において蒸気を一定方向に循環させるファンである。
具体的には、蒸気循環ファン４は、集じん器３から導出された蒸気を過熱蒸気再生用熱交換器９に移送するようになっている。
尚、過熱蒸気再生用熱交換器９に移送される蒸気の一部が余剰蒸気として第５のバルブ１４を介して脱臭装置６に導入されるようになっている。
よって、蒸気循環ファン４の動作により、多段乾燥機１内は、結果として負圧状態になるものである。
【００４０】
［補助ボイラ］
補助ボイラ（貫流ボイラ）５は、多段乾燥機１から過熱蒸気再生用熱交換器９に送り込まれる低温側の蒸気の一部に配管を通して過熱蒸気循環経路に新たに蒸気を供給するものである。
特に、補助ボイラ５は、運転開始時において、多段乾燥機１内の空気を蒸気に置換して早期に過熱蒸気雰囲気の状態を実現するのに寄与している。
尚、補助ボイラ５の排気は、排気筒１３を介して排出されるようになっている。
【００４１】
［脱臭装置］
多段乾燥機１から過熱蒸気再生用熱交換器９に送り込まれる低温側の蒸気の一部は余剰蒸気として熱ガス発生装置８に排出されるが、その熱ガス発生装置８の前段に脱臭装置６が設けられている。
【００４２】
脱臭装置６は、例えば、酸化触媒によって、余剰蒸気に含まれる不純物並びに硫化水素（Ｈ2Ｓ）やアンモニア（ＮＨ3）等の臭気成分を分解・除去するものとなっている。
脱臭装置６の具体的構成については後述する。
【００４３】
［燃料化装置］
燃料化装置７は、多段乾燥機１から排出された乾燥成品を安定化させて木材チップと混合して主燃料にする等してから、熱ガス発生装置８に供給するものである。
【００４４】
［熱ガス発生装置］
熱ガス発生装置８は、燃料化装置７から供給される主燃料を完全燃焼させて、熱ガスを発生させるものである。
尚、立ち上げ、停止時に限って補助燃料として重油等を用いるようにしている。
更に、熱ガス発生装置８は、脱臭装置６から脱臭された余剰蒸気を導入して燃焼させ、熱ガスに変換するものである。
【００４５】
［過熱蒸気再生用熱交換器］
過熱蒸気再生用熱交換器９は、熱ガス発生装置８で発生した熱ガスを熱源として循環蒸気を加熱するものである。
【００４６】
［冷却塔］
冷却塔１０は、過熱蒸気再生用交換器９から放出される排ガスを冷却するための冷却装置である。
［排ガス浄化装置］
排ガス浄化装置１１は、排ガスの浄化を行うための装置である。
［排気ファン］
排気ファン１２は、熱ガス発生装置８内において、適切な負圧を確保するものであり、排ガス浄化装置１１からの排気を吸い込んで排気筒１３に排出するものである。
［排気筒］
排気筒１３は、排気ファン１２及び補助ボイラ５からの排気を排出する筒である。
【００４７】
［第５のバルブ（CV-05）］
第５のバルブ（CV-05）１４は、蒸気循環ファン４から過熱蒸気再生用熱交換器９の配管に移送される蒸気の一部を余剰蒸気として脱臭装置６に流入させる蒸気の量を調整する調節弁である。
第５のバルブ（CV-05）１４の制御については後述する。
【００４８】
［脱臭装置の具体的構成］
次に、脱臭装置６の具体的構成について図２を参照しながら説明する。図２は、脱臭装置の概略構成図である。
脱臭装置６は、図２に示すように、装置本体６０の上部に、吸気口６１が設けられ、本体６０の下部にはファン６６に接続する排出口が設けられ、本体６０内部には多段にろ材（例えば、焼結ポーラスろ材等）が配置され、当該ろ材に対して脱臭液を噴霧するノズル６２が設置されている。
【００４９】
ノズル６２には、ポンプ６５が接続され、タンク６４内の脱臭液をノズル６２に供給している。
また、本体６０の排出口に設けられたファン６６は、本体６０内の空気を排気口６７から排出するものである。
【００５０】
［脱臭装置の動作］
脱臭装置６の吸気口６１には第５のバルブ（CV-05）１４を介して臭気を帯びた空気が流入し、ろ材にはノズルから脱臭液が散布され、流入された空気は、ろ材を通過して脱臭される。
そして、脱臭された空気は、ファン６６により排気口から排出されるものである。
尚、脱臭液の濃度、散布時間は、臭気濃度により調整する。
【００５１】
脱臭装置における脱臭の基本的仕組みは、酸化分解であり、酸化還元反応や強力なイオン交換作用により悪臭物質を瞬時に分解して脱臭するものである。
【００５２】
［制御機構］
次に、本システムにおける制御機構について図３を参照しながら説明する。図３は、制御機構の構成ブロック図である。
制御機構は、図３に示すように、図示はしていないが、全体の制御を行う制御部と、第１のバルブ（V-01）１８と、第２のバルブ（CV-02）２０と、第４のバルブ（CV-04）２１と、第５のバルブ（CV-05）１４と、第６のバルブ（V-06）１５と、第１の温度測定部（TE-1）２３と、第２の温度測定部（TE-2）２４と、第３の温度測定部（TE-3）１９と、第４の温度測定部（TE-4）１７と、圧力測定部（PX-1）１６と、流量測定部（FX-1）２５と、排水ポンプ２２と、その他、蒸気循環ファン４と、排気ファン１２等を備えている。
【００５３】
［制御部］
制御部は、各測定部での測定値によって各部を動作・制御するもので、排水ポンプ２２を動作・停止させたり、蒸気循環ファン４、排気ファン１２を動作させ、その回転数を制御したりするものであり、例えば、第１〜４の温度測定部で測定された温度の値を入力し、圧力測定部（PX-1）１６と流量測定部（FX-1）２５で測定された圧力又は流量の値を入力し、それら値に応じて第１〜６のバルブの開閉を制御するものである。
また、制御部は、複数の時間を設定（記憶）可能であり、当該時間を測定するタイマーを備えている。
【００５４】
具体的には、制御部は、コンピュータ処理によって実現されるものであり、記憶部に記憶された処理プログラムを主メモリにロードして制御の処理を実行するものである。
尚、循環回路内の過熱蒸気の流量を制御する部分については、制御部とは別個に流量制御部を設け、その流量制御部が、予め規定した流量に従って第５のバルブ（CV-05）１４を動作させ、脱臭装置６を介して熱ガス発生装置８に供給する余剰蒸気量を制御するようにしてもよい。
制御部における原料投入前の処理及び原料投入停止後の処理についての詳細は後述する。
【００５５】
［第１のバルブ（V-01）］
第１のバルブ（V-01）１８は、排水回収タンク２から排水ポンプ２２によって供給される水を、熱ガス排気経路（加熱器）を経由させて多段乾燥機１内に噴霧するために制御されるバルブとなっている。
特に、水分が熱ガス排気経路を経由することで、多段乾燥機１内に噴霧される水は加熱され、温度が高くなっている。よって、蒸気生成に寄与でき、運転準備期間を短時間にすることができるものである。
【００５６】
［第２のバルブ（CV-02）］
第２のバルブ（CV-02）２０は、排水回収タンク２から排水ポンプ２２で移送された水を、直接多段乾燥機１内に噴霧するためのバルブである。
第２のバルブ（CV-02）２０を開くことで、多段乾燥機１内の温度が高くなり過ぎた場合に、冷却することができる。
【００５７】
［第４のバルブ（CV-04）］
第４のバルブ（CV-04）２１は、多段乾燥機１の底面に設けられた排出口と排水回収タンク２の流入口とを接続するパイプの途中に設けられたバルブである。
第４のバルブ（CV-04）２１は、多段乾燥機１内にドレン水が発生した場合には、開としてドレン水を排水回収タンク２に回収するものであり、過熱蒸気が循環している場合は閉となるものである。
【００５８】
［第５のバルブ（CV-05）］
第５のバルブ（CV-05）１４は、循環経路における余剰蒸気を、脱臭装置６を介して熱ガス発生装置８に供給するためのバルブである。
第５のバルブ（CV-05）１４は、流量測定部（FX-1）２５で測定された流量の値に応じて開閉の程度が調整される。
【００５９】
［第６のバルブ（V-06）］
第６のバルブ（V-06）１５は、補助ボイラ５からの蒸気を循環経路に供給するためのバルブとなっている。
第６のバルブ（V-06）１５は、補助ボイラ５が起動すれば開となり、補助ボイラ５が停止すれば閉となるものである。
【００６０】
［第１の温度測定部（TE-1）］
第１の温度測定部（TE-1）２３は、多段乾燥機１内の温度を測定するための測定器である。
尚、第１の温度測定部（TE-1）２３は、第２、３の温度測定部との関係から多段乾燥機１内の平均的温度が測定される場所に設定するのが望ましい。
【００６１】
［第２の温度測定部（TE-2）］
第２の温度測定部（TE-2）２４は、循環経路において多段乾燥機１の入口側に設けられた温度測定器であり、高温側の過熱蒸気の温度を測定するために用いられる。
【００６２】
［第３の温度測定部（TE-3）］
第３の温度測定部（TE-3）１９は、循環経路において多段乾燥機１の出口側に設けられた温度測定器であり、低温側の過熱蒸気の温度を測定するために用いられる。
【００６３】
［第４の温度測定部（TE-4）］
第４の温度測定部（TE-4）１７は、熱ガス発生装置８の出口側の温度を測定する温度測定器である。熱ガス発生装置８の出口側の温度は７００〜８００℃の高温となるため、第４の温度測定部（TE-4）１７は、高温を測定できる温度測定器である必要がある。
【００６４】
［圧力測定部（PX-1）］
圧力測定部（PX-1）１６は、多段乾燥機１内の圧力を測定するためのものであり、特に、多段乾燥機１内が負圧であるか否かを測定するものである。
［流量測定部（FX-1）］
流量測定部（FX-1）２５は、循環経路内の流量を測定するものである。
【００６５】
［排水ポンプ］
排水ポンプ２２は、排水回収タンク２内の水を押し上げて、第１のバルブ（V-01）１８又は第２のバルブ（CV-02）２０を介して多段乾燥機１内の噴霧器１ａに供給するものである。
また、排水回収タンク２には、水量を一定に保つ機構が設けられており、水量が一定以下になると、浄水が補給されるようになっている。
【００６６】
［原料投入までの処理］
次に、原料が多段乾燥機１に投入されるまでの処理について図４及び図５を参照しながら説明する。図４は、制御部における原料投入までの前半の処理を示すフローチャートであり、図５は、制御部における原料投入までの後半の処理を示すフローチャートである。尚、図４における（Ａ）は図５における（Ａ）に接続するものである。
【００６７】
制御部は、図４に示すように、本システムを始動すると、まず、多段乾燥機１で発生するドレン水を排水回収タンク２に供給する第４のバルブ（CV-04）２１を開にする（Ｓ１）。そして、補助ボイラ５を起動し（Ｓ２）、第６のバルブ（V-06）１５を開にする（Ｓ３）。続いて、蒸気循環ファン４を起動する（Ｓ４）。
【００６８】
その後、２系統の処理が為されるが、一方の処理は、多段乾燥機１内の第１の圧力測定部（PX-1）１６で測定された圧力の値を制御部が入力し（Ｓ５）、次に、その入力された値により多段乾燥機１内が負圧になっているか否かを判定する（Ｓ６）。
多段乾燥機１内が負圧であれば（Ｙｅｓの場合）、判定処理Ｓ６を繰り返す。多段乾燥機１内が負圧でなければ（Ｎｏの場合）、蒸気循環ファン４の回転数を上げて（Ｓ７）、多段乾燥機１内を負圧にするようにし、判定処理Ｓ６に戻る。
【００６９】
また、処理Ｓ４に続く他方の処理は、排気ファン１２を起動し（Ｓ８）、続いて、熱ガス発生装置８を起動し（Ｓ９）、制御部は第４の温度測定部（TE-4）１７で測定された熱ガス発生装置８の出口における温度の値を入力する（Ｓ１０）。
入力された熱ガス発生装置８の出口温度の値が、７８０℃以上である（熱ガス発生装置の出口温度≧７８０℃）のか否かを判定する（Ｓ１１）。
【００７０】
熱ガス発生装置の出口温度が７８０℃未満であれば（Ｎｏの場合）、判定処理Ｓ１１を繰り返す。熱ガス発生装置の出口温度が７８０℃以上であれば（Ｙｅｓの場合）、排水ポンプ２２を起動して（Ｓ１２）、排水回収タンク２内の水を移送する。そして、第１のバルブ（V-01）１を開き（Ｓ１３）、排熱で加熱した水を多段乾燥機１内に供給可能とするものである。
【００７１】
次に、制御部は、図５に示すように、多段乾燥機１内の温度を測定する第１の温度測定部（TE-1）２３で測定された温度の値を入力し（Ｓ１４）、多段乾燥機１内の温度が１００℃以上になったか（多段乾燥機内部温度≧１００℃）否かを判定し（Ｓ１５）、多段乾燥機１内の温度が１００℃未満であれば（Ｎｏの場合）、判定処理Ｓ１５を繰り返す。
【００７２】
また、判定処理Ｓ１５で、多段乾燥機１の内部温度が１００℃以上になれば（Ｙｅｓの場合）、タイマーを特定時間動作させ（Ｓ１６）、その特定時間経過後に、第４のバルブ（CV-04）２１を閉にする（Ｓ１７）。上記特定時間は、約３０分程度を予定している。
【００７３】
続いて、多段乾燥機１の出口側の循環経路での温度を測定する第３の温度測定器（TE-3）１９で測定された温度を制御部が入力し、循環過熱蒸気の出口温度が１５０℃以上であるか（循環過熱蒸気の出口温度≧１５０℃）否かを判定し（Ｓ１９）、循環過熱蒸気の出口温度が１５０℃未満であれば（Ｎｏの場合）、判定処理Ｓ１９を繰り返す。
【００７４】
循環過熱蒸気の出口温度が１５０℃以上になれば（Ｙｅｓの場合）、以下の２つの処理を行う。その一方の処理は、第３の温度測定部（TE-3）１９が１５０℃の一定温度になるよう第２のバルブ（CV-02）２０の開閉を調整する（Ｓ２０）。第２のバルブ（CV-02）２０が開になると、排水回収タンク２内の水が噴霧器１ａで噴霧されるため、多段乾燥機１及び循環回路の出口側を冷却することができる。
【００７５】
また、他方の処理は、多段乾燥機１の入口側の循環経路での温度を測定する第２の温度測定器（TE-2）２４で測定された温度を制御部が入力し、循環過熱蒸気の入口温度が４００℃以上であるか（循環過熱蒸気の入口温度≧４００℃）否かを判定し（Ｓ２１）、循環過熱蒸気の入口温度が４００℃未満であれば（Ｎｏの場合）、判定処理Ｓ２１を繰り返す。
【００７６】
循環過熱蒸気の入口温度が４００℃以上になれば（Ｙｅｓの場合）、第１のバルブ（V-01）１８を閉じ（Ｓ２３）、補助ボイラ５を停止し（Ｓ２４）、第６のバルブ（V-06）１５を閉じる（Ｓ２５）。
以上の処理を行うことで、原料投入開始が可能となるものである。
【００７７】
次に、原料投入停止後の処理について図６を参照しながら説明する。図６は、原料投入停止後の処理を示すフローチャートである。
制御部は、図６に示すように、原料投入を停止すると、タイマーを特定時間動作させ（Ｓ３１）、その特定時間経過後に、補助ボイラ５を起動する（Ｓ３２）。上記特定時間は、２〜３時間程度である。
【００７８】
次に、第６のバルブ（V-06）１５を開き（Ｓ３３）、タイマーを特定時間動作させ（Ｓ３４）、特定時間経過後に、多段乾燥機１を停止する（Ｓ３５）。そして、排水ポンプ２２を起動し、第１のバルブ（V-01）１８を開く（Ｓ３７）。
【００７９】
そして、タイマーを特定時間動作させ（Ｓ３８）、特定時間経過後に、第１のバルブ（V-01）１８を閉じ（Ｓ３９）、排水ポンプを停止し（Ｓ４０）、補助ボイラ５を停止し（Ｓ４１）、第６のバルブ（V-06）１５を閉じる（Ｓ４２）。上記特定時間は、排水回収タンク２に蓄えられた浄水を多段乾燥機１内に噴霧してクリーニングを行う時間である。
【００８０】
次に、熱ガス発生装置８を停止し（Ｓ４３）、タイマーを特定時間動作させ（Ｓ４４）、その特定時間経過後に、排気ファン１２を停止し（Ｓ４５）、続いて、蒸気循環ファン４を停止する（Ｓ４６）。上記特定時間は、熱ガス発生装置８を停止した後で排気管等に残った熱ガスを排気するための時間である。
以上のようにして、原料投入停止後の処理が為される。
【００８１】
［実施の形態の効果］
本システムによれば、余剰蒸気が熱ガス発生装置８に送り込まれる前段階に酸化触媒を利用した脱臭装置６を設けたことにより、余剰蒸気に含まれる不純物並びに臭気成分を分解・除去し、熱ガス発生装置８内ではピュアな蒸気を燃焼させることができる効果がある。従って、熱ガス発生装置８は、Ｈ2Ｏ分のみが含まれた余剰過熱蒸気が送り込まれ、この蒸気は固形燃料の燃焼によって生成された熱ガスと混合すると空気と同じように反応して温度降下と合わせてガス量増大という結果をもたらすだけであるので、焼却ということにならず、焼却炉には相当しないものである。
【００８２】
本システムによれば、補助ボイラ５を設け、過熱蒸気循環経路に補助ボイラ５で発生させた蒸気を供給するようにしているので、過熱蒸気循環経路内の空気を蒸気に置換して、循環させ、熱ガス発生装置８を稼働し、過熱蒸気再生用熱交換器９で蒸気を加熱することで、短時間で過熱蒸気循環経路内を所定の過熱蒸気雰囲気にならしめ、運転準備を短時間に終了させることができる効果がある。
【００８３】
本システムによれば、排水回収タンク２及び多段乾燥機１内に噴霧機１ａを設けたことにより、多段乾燥機１内で発生したドレン水を回収し、経路内で１００℃を越えて高温の過熱蒸気雰囲気に到達する過程で多段乾燥機１内に噴霧機１ａでドレン水を供給して消費でき、また、循環経路内で多段乾燥機１の出口側の温度が高くなり過ぎる場合には、ドレン水を供給して冷却して温度を一定に保つことができ、更に、原料供給を停止した後のアイドル運転時に多段乾燥機１内に浄水を噴霧機１ａで噴霧・供給するようにしているので、多段乾燥機１及び経路内を清掃でき、設備の寿命を延命できる効果がある。
【産業上の利用可能性】
【００８４】
本発明は、多段乾燥機と循環回路内を過熱蒸気に早期に確実に置換させることができ、相当量発生するドレンを回収して蒸気の循環回路に噴霧、環流して再利用でき、更に特定期間に多段乾燥機及び経路内の清掃を効率的に行って耐久性を向上させ、設備を焼却炉ではなく燃焼装置の分類とすることができる過熱蒸気循環型乾燥システムに好適である。
【図面の簡単な説明】
【００８５】
【図１】本発明の実施の形態に係る過熱蒸気循環型乾燥システムの概略構成図である。
【図２】脱臭装置の概略構成図である。
【図３】制御機構の構成ブロック図である。
【図４】制御部における原料投入までの前半の処理を示すフローチャートである。
【図５】制御部における原料投入までの後半の処理を示すフローチャートである。
【図６】原料投入停止後の処理を示すフローチャートである。
【符号の説明】
【００８６】
１…多段乾燥機、  ２…排水回収タンク、  ３…集じん器、  ４…蒸気循環ファン、  ５…補助ボイラ、  ６…脱臭装置、  ７…燃料化装置、  ８…熱ガス発生装置、  ９…過熱蒸気再生用熱交換器、  １０…冷却塔、  １１…排ガス浄化装置、  １２…排気ファン、  １３…排気筒、  １４…第５のバルブ（CV-05）、  １５…第６のバルブ（V-06）、  １６…圧力測定部（PX-1）、  １７…第４の温度測定部（TE-4）、  １８…第１のバルブ（V-01）、  １９…第３の温度測定部（TE-3）、  ２０…第２のバルブ（CV-02）、  ２１…第４のバルブ（CV-04）、  ２２…排水ポンプ、  ２３…第１の温度測定部（TE-1）、  ２４…第２の温度測定部（TE-2）、  ２５…流量測定部（FX-1）、  ６０…本体、  ６１…吸気口、  ６２…ノズル、  ６３…ろ材、  ６４…タンク、  ６５…ポンプ、  ６６…ファン、  ６７…排気口
【図１】
2006308162.tif 000003
【図２】
2006308162.tif 000004
【図３】
2006308162.tif 000005
【図４】
2006308162.tif 000006
【図５】
2006308162.tif 000007
【図６】
2006308162.tif 000008